(57)【要約】【課題】簡単な構成で断熱効果を得ることができる断熱カバーを提供する。【解決手段】カーボン繊維とポリエステル繊維を混合した保温層２と、この保温層の片面を被覆する不織布からなる皮膜層３と、当該皮膜層の表面を被覆しているセラミックコーティング層４と、他面に設けてある接着テープの接着層５とからなり、セラミックコーティング層は、皮膜層３の表面にセラミック断熱塗料を塗布して形成したものであり、配管用断熱カバー１の使用時には保温層２及びセラミックコーティング層により覆っている配管の保温を図る。【選択図】　　　　図１
2004116758.tif 000002
【特許請求の範囲】
【請求項１】
断熱層と、この断熱層の少なくとも一面を被覆する皮膜層と、この皮膜層の表面を被覆しているセラミックコーティング層とを備えていることを特徴とする配管などの断熱カバー。
【請求項２】
断熱層はカーボン繊維とプラスチック繊維とからなることを特徴とする請求項１記載の配管などの断熱カバー。
【請求項３】
断熱層はカーボン繊維と非導電性プラスチック繊維とからなることを特徴とする請求項１記載の配管などの断熱カバー。
【請求項４】
断熱層はガラス繊維からなることを特徴とする請求項１記載の配管などの断熱カバー。
【請求項５】
皮膜層は断熱層の両面を被覆していることを特徴とする請求項１乃至請求項４のいずれかに記載の配管などの断熱カバー。
【請求項６】
皮膜層は断熱層の両面を被覆しており、セラミックコーティング層は上記両皮膜層を被覆していることを特徴とする請求項１乃至請求項５のいずれかに記載の配管などの断熱カバー。
【請求項７】
断熱層の他面にこれを被覆する接着層を設けてあることを特徴とする請求項１乃至請求項６のいずれかに記載の配管などの断熱カバー。
【請求項８】
皮膜層は不織布からなることを特徴とする請求項１乃至請求項７のいずれかに記載の配管などの断熱カバー。
【請求項９】
セラミックコーティング層は皮膜層の表面を被覆するようにセラミック断熱塗料を塗布して形成しているものであることを特徴とする請求項１乃至請求項８のいずれかに記載の配管などの断熱カバー。
【請求項１０】
セラミックコーティング層は、ガラス繊維からなる芯材と、この芯材の両面を被覆するようにセラミック断熱塗料を塗布して形成しているセラミックコーティング膜とからなることを特徴とする請求項１乃至請求項９のいずれかに記載の配管などの断熱カバー。
【請求項１１】
断熱層は通電装置に接続可能であることを特徴とする請求項３、請求項５、請求項６、請求項７、請求項８、請求項９又は請求項１０のいずれかに記載の配管などの断熱カバー。
【請求項１２】
断熱層及びセラミックコーティング層は、配管断熱のために用いるものであることを特徴とする請求項１乃至請求項１１のいずれかに記載の配管などの断熱カバー。
【発明の詳細な説明】
【０００１】
【発明の属する技術分野】
本発明は、水道管、給湯管などの凍結防止などに役立つ配管や壁などの断熱カバーに関する。
【０００２】
【従来の技術】
寒冷地などにおける例えば水道管の凍結防止方法として、水道管を断熱材である発泡スチロールからなるカバーで被覆するもの（特開昭５６−１１６４６６号公報）や発泡合成樹脂素材で水道管を覆い、この発泡合成樹脂素材内にカーボン繊維を芯線とする線状発熱体を軸心方向に配線して、通電による発熱によって水道管を保温して断熱を図るもの（特開平８−２８７７８号公報）が提案されている。
【０００３】
【発明が解決しようとする課題】
線状発熱体を用いる従来例によれば、断熱効果又は保温効果があるものの、簡単な構成で断熱効果を得るにはさらなる改善が必要であった。
本発明の目的は、簡単な構成で断熱効果を得ることができる配管などの断熱カバーを提供することにある。
【０００４】
【課題を解決するための手段】
本発明に係る配管などの断熱カバーは、断熱層と、この断熱層の片面又は両面を被覆する皮膜層と、当該皮膜層の表面を被覆しているセラミックコーティング層とを備えているものである。断熱層にはカーボン繊維と、ポリエステルなどのような非導電性プラスチック繊維又は導電性プラスチック繊維とを所定比率混合した繊維材が使用され、またガラス繊維などの断熱部材が使用される。皮膜層としては不織布などが用いられる。セラミックコーティング層としては、皮膜層の表面にセラミック断熱塗料を塗布して形成したものや、芯材の両面をセラミック断熱塗料で塗布して形成したセラミックコーティング膜とからなるものなどが用いられる。特に、断熱層やセラミックコーティング層が配管や壁などの断熱に寄与するものである。
【０００５】
【発明の実施の形態】
図１乃至図３を参照して、本発明における第１の実施の形態について説明する。
図１において、配管用断熱カバー１は、断熱層である保温層２、皮膜層３、セラミックコーティング層４及び接着層５からなる。
保温層２は、カーボン繊維と非導電性プラスチック繊維とからなる不織布状に形成されているシート材である。保温層２は、テープ状又はマット状の形態に形成されている。上記カーボン繊維と非導電性プラスチック繊維は、所定比率で混合されており、非導電性プラスチック繊維として例えばポリエステルを用いる場合には、カーボン繊維とポリエステルとの混合比率を例えば８：２又は５：５とするのが良い。
皮膜層３は、図示の例では保温層２の片面（上面）を被覆している。
皮膜層３の材質には不織布が用いられている。セラミックコーティング層４は皮膜層３の表面を被覆するようにセラミック断熱塗料を塗布して形成されている。セラミックコーティング層４におけるセラミック断熱塗料として、この例では非結晶シリカ及びラテックスを主材とするエンヴァイトロール社製セラミックカバーＣＣ１００（商品名）を使用している。接着層５は、保温層２の他面（下面）を被覆している。接着層５は両面接着テープのような接着材からなり、図１下面に剥離紙５ａを貼り付けてある。
【０００６】
次に配管用断熱カバー１の使用方法について説明する。
予め、配管用断熱カバー１の剥離紙５ａを接着層５から剥離しておく。そしてまず、図２に示すように、接着層５を内側にして配管用断熱カバー１を折り曲げて筒状にしながら配管Ｐの外周面を覆い、配管用断熱カバー１のセラミックコーティング層４の表面側から内側に向けて押圧し、接着層５の接着面を配管Ｐの外面に接着させ、配管用断熱カバー１を配管Ｐに固定し、断熱のための作業を終了する。このために、保温層２及びセラミックコーティング層４による断熱機能（又は保温機能）によって配管の凍結防止が図られ、配管が給湯管であれば温水の温度低下の抑制に効果が発揮される。
また他の使用例として、配管用断熱カバー１によって一層高い断熱効果又は保温効果を望む場合には、図３に示す通電装置６を使用する。
通電装置６は制御部７と保温層２の両側に配置される電気的接続部８とを備えており、制御部と電気的接続部とは電気配線６ａを介して接続されている。
配管Ｐを配管用断熱カバー１で被覆した後、この配管用断熱カバーの両端部に電気的接続部８を取り付け、その後、通電装置６を作動させることにより、配管用断熱カバー１の保温層２は通電され、電気抵抗体であるカーボン繊維は発熱される。この発熱作用によって、配管Ｐが給湯管の場合には利用先まで温水の保温が維持される。保温層２における発熱温度の設定などは制御部７で管理する。
本例の配管用断熱カバー１は、保温層２それ自体の断熱機能によって、又は通電装置６を利用した場合には保温層２の発熱によって、いずれの場合も配管Ｐの保温カバーとして機能するから、凍結防止が図られ、そしてセラミックコーティング層４によって保温層２からの放熱を抑制し、かつ外気温が保温層へ伝導されることを抑制し、断熱機能が発揮されるから保温効果が向上することになる。特に、配管が給湯管である場合には保温層２による給湯管の保温効果が得られる。また本例の配管用断熱カバー１では、セラミックコーティング層４で覆われているので、難燃性や耐久性に優れ、塩害の影響を受けにくく、型崩れがしにくく、また配管用断熱カバー１の表面を希望する色に着色することができ、建物と色とのバランスを図ることができる。
【０００７】
図４を参照して、本発明の第２の実施の形態について説明する。
図示する配管用断熱カバー１Ａの基本的構成は前記配管用断熱カバー１と同一であるので、相違する構成についてのみ説明する。配管用断熱カバー１Ａを説明する上で使用する符号は、配管用断熱カバー１と同一構成部分については、配管用断熱カバー１に用いた符号をそのまま使用している。
本例では、保温層２の両面に皮膜層３を接着し、各皮膜層の表面にそれぞれセラミックコーティング層４を設けてある。
配管用断熱カバー１Ａの使用に際しては、この配管用断熱カバーを円筒形に屈曲させて、配管の外周を覆い、配管用断熱カバーの上側から固定テープ（図示せず。）を巻いて配管用断熱カバーを固定して、断熱のための作業を終える。
他の使用例として、固定後に、通電装置６を利用して保温層２の発熱を行う場合には、図１に示す配管用断熱カバー１の使用法と同様である。
本例の配管用断熱カバー１Ａでは、内面及び外面がセラミックコーティング層４で覆われているので、配管用断熱カバー１と同様の効果が得られる他に、内面側（図４下面側）のセラミックコーティング層４を介して配管と配管用断熱カバー１Ａとの断熱が図られ、保温効果が一層高められる。
【０００８】
図５を参照して、配管用断熱カバーの第３の実施の形態を説明する。
配管用断熱カバー１Ｂの基本的構成は上記配管用断熱カバー１と同一構成であるので、相違する構成のみ説明する。
図示する配管用断熱カバー１Ｂの説明において、使用する符号は、前記配管用断熱カバー１と同一構成である部分について断熱カバー１の符号と一致させている。
配管用断熱カバー１Ｂが上記配管用断熱カバー１と相違する点は、不織布からなる皮膜層３が保温層２の両面に設けてあり、図上側の皮膜層のみをセラミックコーティング層４で覆っている構成にある。
配管用断熱カバー１Ｂの使用法は図１に示す配管用断熱カバー１のそれと同様である。
【０００９】
図６を参照して、配管用断熱カバーの第４の実施の形態を説明する。
配管用断熱カバー１Ｃの基本的構成は図４に示す上記配管用断熱カバー１Ａと同一構成であるので、相違する構成のみ説明する。
図示する配管用断熱カバー１Ｃの説明において、使用する符号は、前記配管用断熱カバー１Ａと同一構成である部分について断熱カバー１Ａの符号と一致させている。
配管用断熱カバー１Ｃの特徴は両皮膜層３の表面をそれぞれ覆うセラミックコーティング層９にある。
各セラミックコーティング層９は、ガラス繊維からなる芯材９ａと、この芯材の両面を被覆するようにセラミック断熱塗料を塗布して形成したセラミックコーティング膜９ｂとからなる。各セラミックコーティング膜９ｂは上記セラミックコーティング層４と同一構成である。両セラミックコーティング層９は接着剤によって皮膜層３にそれぞれ固定されている。
本例では、セラミックコーティング層９によって保温層２と外気との遮断をより一層確実なものにすることができる。
配管用断熱カバー１Ｃにおいて、セラミックコーティング層９は少なくともいずれか一方の皮膜層３（図では上側の皮膜層３）を覆うものであれば良く、図示するように双方の皮膜層３をセラミックコーティング層９で覆うことを必ずしも必要としない。
【００１０】
配管用断熱カバー１，１Ａ，１Ｂ，１Ｃにおいて、断熱層である保温層２を通電させる方法、通電させることなく保温層それ自体で配管の保温を行う方法のいずれでも良く、配管の設置場所、季節などに応じて適宜選択する。通電することなく断熱又は保温する場合には、保温層２に混入するプラスチック繊維は、性質（非導電性及び導電性）を問うものではない。
配管用断熱カバー１，１Ａ，１Ｂにおいて、セラミックコーティング層４に代えてセラミックコーティング層９を使用しても良い。
配管用断熱カバー１Ａ，１Ｂ，１Ｃにおいて、下面側に接着層５を配置して、配管Ｐへの取付け作業をし易くするようにしても良い。
配管用断熱カバー１Ｃにおいて、図６下側の皮膜層３及びセラミックコーティング層９を取り外して、これらの層に代えて接着層５を配置しても良い。
【００１１】
図７を参照して、配管用断熱カバーの第５の実施の形態を説明する。
配管用断熱カバー１１の特徴は、配管用断熱カバー１，１Ａ，１Ｂ，１Ｃにおける保温層２に代えて断熱層１２を用いた点にある。すなわち、前記配管用断熱カバー１，１Ａ，１Ｂ，１Ｃでは、断熱層である保温層２がその材質自体の断熱機能と、発熱による断熱又は保温機能のいずれか一方を任意に選択可能とする構成であったが、配管用断熱カバー１１においては、専ら断熱層１２それ自体の断熱機能を基本としている。
配管用断熱カバー１１は、断熱層１２、この断熱層の両面を覆う皮膜層１３及び両皮膜層の表面を覆うセラミックコーティング層１４からなる。
断熱層１２は、ガラス繊維によって不織布状に形成されているシート材である。断熱層１２は、テープ状又はマット状の形態に形成されている。皮膜層１３及びセラミックコーティング層１４は前記皮膜層３及びセラミックコーティング層４と同一構成である。
配管用断熱カバー１１の使用方法について説明する。
配管用断熱カバー１１を内側にして折り曲げて筒状にしながら配管の外周面を覆い、配管などの断熱カバーをその上側から固定テープ（図示せず。）を巻いて配管に固定する。
【００１２】
図８を参照して、本発明の第６の実施の形態について説明する。
図示する配管用断熱カバー１１Ａの基本的構成は前記配管用断熱カバー１１と同一であるので、相違する構成についてのみ説明する。
図示する配管用断熱カバー１１Ａの説明において、使用する符号は、上記配管用断熱カバー１１と同一構成である部分について断熱カバー１Ａの符号と一致させている。
配管用断熱カバー１１Ａの特徴は両皮膜層１３の表面をそれぞれ覆うセラミックコーティング層１９にある。このセラミックコーティング層１９は前記セラミックコーティング層９と同一構成である。１９ａは芯材、１９ｂはセラミックコーティング膜である。
配管用断熱カバー１１Ａの使用法は配管用断熱カバー１１のそれと同様である。
【００１３】
配管用断熱カバー１１，１１Ａは、図７及び図８下側の皮膜層１３及びセラミックコーティング層１４，１９を取り外して、これらの層に代えて前記接着層５と同様の接着層を配置して図１の配管用断熱カバー１と同様の構成にしても良い。また配管用断熱カバー１１，１１Ａは、図７及び図８下側のセラミックコーティング層１４，１９を取り外して、図５の配管用断熱カバー１Ｂと同様の構成にしても良い。
【００１４】
断熱カバーは図示の各例では配管に適用したが、壁、柱、スラブなどにも適用できることは当然である。そして使用場所に応じて、配管などの断熱カバーの形態としてはマット状のものやテープ状のものが用いられる。テープ状の配管などの断熱カバーにあっては、例えば配管用であれば、使用時に配管外周面にその軸心方向に沿って巻きながら取り付けてゆく。
セラミックコーティング層９に用いるセラミック断熱塗料は上述したものに限定されない。
説明した配管用断熱カバー１，１Ａ，１Ｂ，１Ｃ，１１，１１Ａの対象は水道管である配管に限定されず、融雪用の散水管、給湯管などが含まれる。
【００１５】
【発明の効果】
本発明によれば、簡単な構成で断熱効果を得ることができ、配管の凍結防止や壁の結露防止などに有効であり、断熱層に加えてセラミックコーティング層の存在によって断熱又は保温効果が向上する。
【図面の簡単な説明】
【図１】本発明に係る配管などの断熱カバーの主要部を示す斜視図である。
【図２】本発明に係る配管などの断熱カバーの使用状態を示す斜視図である。
【図３】本発明に係る配管などの断熱カバーの他の使用状態を示す断面図である。
【図４】本発明の第２の実施の形態の主要部を示す拡大断面図である。
【図５】本発明の第３の実施の形態の主要部を示す拡大断面図である。
【図６】本発明の第４の実施の形態の主要部を示す拡大断面図である。
【図７】本発明の第５の実施の形態の主要部を示す拡大断面図である。
【図８】本発明の第６の実施の形態の主要部を示す拡大断面図である。
【符号の説明】
１，１Ａ，１Ｂ，１Ｃ　　　配管用断熱カバー（配管などの断熱カバー）
２　　　　　　　　　　　　保温層（断熱層）
３　　　　　　　　　　　　皮膜層
４　　　　　　　　　　　　セラミックコーティング層
５　　　　　　　　　　　　接着層
６　　　　　　　　　　　　通電装置
９　　　　　　　　　　　　セラミックコーティング層
９ａ　　　　　　　　　　　芯材
９ｂ　　　　　　　　　　　セラミックコーティング膜
１１，１１Ａ　　　　　　　配管用断熱カバー（配管などの断熱カバー）
１２　　　　　　　　　　　断熱層
１３　　　　　　　　　　　皮膜層
１４，１９　　　　　　　　セラミックコーティング層
１９ａ　　　　　　　　　　芯材
１９ｂ　　　　　　　　　　セラミックコーティング膜
Ｐ　　　　　　　　　　　　配管
【図１】
2004116758.tif 000003
【図２】
2004116758.tif 000004
【図３】
2004116758.tif 000005
【図４】
2004116758.tif 000006
【図５】
2004116758.tif 000007
【図６】
2004116758.tif 000008
【図７】
2004116758.tif 000009
【図８】
2004116758.tif 000010